(57)【要約】【課題】基材シートの上面中央部分に沿ってフックテープが設けられた長尺シート部材を切断分割して止着テープを製造する方法において、製造工程を簡略化することのできる止着テープ製造用長尺シート部材を提供する。【解決手段】本発明の止着テープ製造用長尺シート部材１０は、基材シート１２の上面に、中央部分に沿って長手方向に延長するフック部１５とその両側に沿って各々延長する一対の非止着帯２２とからなる長尺のフックテープシート１４を接合一体化して構成される。フックテープシート１４の非止着帯１２は、フックテープ１３の両側部分を押しつぶして形成することができ、この押しつぶし作業は、フックテープシート１４を圧着して基材シート１２に接合一体化する際に、同時に行っても良い。【選択図】図２
2008012332.tif 000002
【特許請求の範囲】
【請求項１】
粘着剤が塗布された長尺の基材シートの上面中央部分に沿ってフックテープが設けられた長尺シート部材を、一本の蛇行曲線に沿って長手方向に切断して二分割するとともに上記長尺シート部材の側辺に対して垂直に延長する直線に沿って切断して複数個の止着テープを得る止着テープの製造方法において使用する二層構造の長尺シート部材であって、上記基材シートの上面に、中央部分に沿って長手方向に延長するフック部と該フック部の両側に沿って各々延長する一対の非止着帯とからなる長尺のフックテープシートを接合一体化してなる止着テープ製造用長尺シート部材。
【請求項２】
上記フックテープシートの非止着帯が、フックテープの長手方向の両側部分を押しつぶして形成される請求項１記載の止着テープ製造用長尺シート部材。
【請求項３】
上記フックテープシートを圧着して上記基材シートに接合一体化する際に、上記フックテープの両側部分を押しつぶす請求項２記載の止着テープ製造用長尺シート部材。
【請求項４】
上記フックテープシートが粘着剤を介することなく圧着によって上記基材シートに直接に接合一体化される請求項１〜３のいずれかに記載の止着テープ製造用長尺シート部材。
【発明の詳細な説明】
【技術分野】
【０００１】
本発明は、粘着剤が塗布された長尺の基材シートの上面中央部分に沿ってフックテープが設けられた長尺シート部材を、一本の蛇行曲線に沿って長手方向に切断して二分割するとともに上記長尺シート部材の側辺に対して垂直に延長する直線に沿って切断して多数の止着テープを得る止着テープの製造方法において使用する二層構造の止着テープ製造用長尺シート部材に関する。
【背景技術】
【０００２】
使い捨てオムツや衣料等の分野に広く用いられている、これらを人体等に装着するための止着テープとしては、メカニカルな締結テープであるフックテープによるものが知られている。このようなフックテープを用いた止着テープは、オムツや衣料等への取付け部分である粘着剤層を備えた基端部と、フックテープによる止着部と、先端のタブ部と、基端部と止着部との間の非止着部とからなるもので、例えば本願出願人の出願に係る特願平９−３５８３３１号に記載されている方法によって製造される。
【０００３】
すなわち、特願平９−３８５３３１号に記載の製造方法によれば、長尺の基材シートの一面にその全面に亘って粘着剤を塗布するとともに、この基材シートの長手方向に沿う中央部分に、長尺のフックテープの貼付された基材シートより細幅の長尺のフィルムを接着することにより、基材シートとフィルムとフックテープとからなる３層構造の長尺の止着テープシートを形成し、この止着テープシートを、一本の蛇行曲線に沿って長手方向に切断して二分割するとともにこれの側辺に対して垂直に延長する直線に沿って切断して、複数個の止着テープを製造することになる。
【発明の開示】
【発明が解決しようとする課題】
【０００４】
このような製造方法によれば、３層構造の長尺の止着テープシートを得るために、長尺の部材である基材シート、フィルム、及びフックテープを各々の接着してゆく必要があるため、製造工程が煩雑になる。
【０００５】
本発明は、このような基材シートの上面中央部分に沿ってフックテープが設けられた長尺シート部材を切断分割して止着テープを製造する方法において、製造工程を簡略化することのできる止着テープ製造用長尺シート部材を提供することを目的とする。
【課題を解決するための手段】
【０００６】
請求項１記載の発明は、粘着剤が塗布された長尺の基材シートの上面中央部分に沿ってフックテープが設けられた長尺シート部材を、一本の蛇行曲線に沿って長手方向に切断して二分割するとともに上記長尺シート部材の側辺に対して垂直に延長する直線に沿って切断して複数個の止着テープを得る止着テープの製造方法において使用する二層構造の長尺シート部材であって、上記基材シートの上面に、中央部分に沿って長手方向に延長するフック部と該フック部の両側に沿って各々延長する一対の非止着帯とからなる長尺のフックテープシートを接合一体化してなる止着テープ製造用長尺シート部材を提供することにより、上記目的を達成したものである。
【０００７】
そして、本発明によれば、切断分割して止着テープを得るための長尺シート部材が、基材シートの上面に、フック部とこれの両側の非止着帯とからなるフックテープシートを接合一体化してなる２層構造なので、３層構造のものと比較してその製作が容易であり、これによっての止着テープの製造工程を簡略化することが可能になる。また３層構造における中間層としてのフィルムを必要としないので、製造原反を減らすことも可能になる。
【０００８】
また、基材シートに接着される、フック部とその両側に一体となった非止着帯とからなる長尺のフックテープシートは、当該フックテープシートの幅に相当する幅を有するフックテープに対して、その中央部分を挟んだ両側部分のフックを、非止着帯の幅に応じて、ヒートエンボスや超音波シール等の圧着手段を用いて長手方向に帯状に押しつぶしてゆくことにより容易に形成することができる。なお、このようにフックテープのフックを押しつぶして形成された非止着帯は、長尺シート部材の切断分割によってタブ部を構成することになるが、これが相当の厚さを備えていることによって、摘みやすくなる。
【０００９】
このような圧着手段を用いたフックテープの両側部分の押しつぶしは、フックテープシートとなる当該フックテープを、ヒートエンボスや超音波シール等の圧着手段により基材シートに圧着して接合一体化してゆく際に、この圧着工程と同時に行うことができ、これによって止着テープの製造工程をさらに簡略化することが可能になる。また、圧着手段によってフックテープシートを基材シートに圧着してゆくことにより、粘着剤すなわち接着剤を用いることなくこれらを接合一体化してゆくこともできる。
【００１０】
なお、フックテープは、「マジックテープ」（登録商標、クラレ社製）等のメカニカルファスナーのオス部材に相当する構成を備えるもので、例えばシート基材の表面に錨状のオス型係合部材がフックとして多数配設されたものや、シート基材の表面に釣型のオス型係合部材がフックとして多数配設されたものをテープ状に形成したものである。また、メカニカルファスナーとしては、他に、「クイックロン」（登録商標、ＹＫＫ社製）、「マジクロス」（登録商標、カネボウベルタッチ社製）、「ＣＳ−２００」（商品名、３Ｍ社製）等の各種の市販品を挙げることができる。
【発明の効果】
【００１１】
本発明の止着テープ製造用長尺シート部材は、基材シートの上面に、中央部分に沿って長手方向に延長するフック部とその両側に沿って各々延長する一対の非止着帯とからなる長尺のフックテープシートを接合一体化した２層構造なので、基材シートの上面にフックテープが設けられた長尺シート部材を切断分割して止着テープを製造する方法において、その製造工程を容易に簡略化することがができる。
【発明を実施するための最良の形態】
【００１２】
本発明の好ましい実施形態によれば、止着テープ製造用長尺シート部材１０は、図１に示すように、粘着剤１１が塗布された長尺の基材シート１２の上面中央部分に沿って、フックテープ１３が、フックテープシート１４のフック部１５として設けられたもので、これを一本の蛇行曲線１６に沿って長手方向に切断して二分割するとともに側辺１７に対して垂直に延長する直線１８に沿って切断して、複数個の止着テープ１９を得る止着テープ１９の製造方法において使用される。
【００１３】
すなわち、本実施形態の止着テープ製造用長尺シート部材１０は、その切断前のＡ−Ａ断面を示す図２に記載されるように、長尺の基材シート１２と、この基材シート１２の上面の中央部分に沿って延長するようにして接合一体化された長尺のフックテープシート１４とからなるものである。
【００１４】
基材シート１２は、好ましくはポリプロピレン、ポリエチレン、ポリエチレンテレフタレート等のフィルム材料、又は不織布等からなり、特に好ましくはポリプロピレンのフィルム材料によって形成される。また、基材シート１２の厚さは、この基材シート１２がフィルム材料からなる場合には、好ましくは３０〜１５０μｍ、更に好ましくは６０〜１００μｍであり、この基材シート１２が不織布からなる場合には、好ましくは０．３〜２．０ｍｍ、更に好ましくは０．７〜１．３ｍｍである。さらに基材シート１２の幅Ｗ１は、好ましくは５０〜１２０ｍｍ、更に好ましくは７０〜１００ｍｍである。基材シート１２の厚さ及び幅Ｗ１がこれらの範囲にある場合、切断分割して得られる各止着テープ１９に適当な長さ及び可撓性が与えられる。
【００１５】
また、この基材シート１２の上面には、この基材シート１２の両側端部を僅かに残して略全面に粘着剤１１が塗布されている。この粘着剤１１としては、ゴム系、エバ系、オレフィン系、アクリル系等の通常の吸収性物品等に使用できるものなら何を用いてもかまわないが、ゴム系のものが好ましく用いられる。なお、この粘着剤１１は、後述するフックテープシート１４との接合一体化を容易にするとともに、フックテープシート１４が接合されない基材シート１２の両側部分においては、基材シート１２と共に左右対称な一対の接着帯２３を構成して、切断分割後の止着テープ１９において、オムツや衣料等への取付け部分である粘着剤層を備えた基端部２０（図１参照）となる。
【００１６】
一方、フックテープシート１４は、基材シート１２の幅Ｗ１より狭い、好ましくは３０〜９０ｍｍ、さらに好ましくは４５〜６５ｍｍの幅Ｗ２のフックテープ１３の両側部分を、その中央部分を好ましくは２０〜５０ｍｍ、さらに好ましくは２５〜３５ｍｍの幅Ｗ３の帯状のフック部１５として残しながら、ヒートエンボスや超音波シールによってオス型係合部材２１を押しつぶしてゆくことにより、フック部１５の両側に沿って長手方向に延長する左右対称な帯状の非止着帯２２を、フック部１５の両側に備えるものである。
【００１７】
そして、この実施形態によれば、フックテープシート１４が、粘着剤１１が塗布された基材シート１２の上面中央部分に沿って、その両側に上記接着帯２３を残置した状態で、基材シート１２に接合一体化されて、２層構造の止着テープ製造用長尺シート部材１０が得られることになる。かかる接合一体化は、ヒートエンボスや超音波シールを用いて、フックテープシート１４を基材テープ１２に押圧圧着することにより、粘着剤１１を介して容易に行うことができる。ここで、上述のヒートエンボスや超音波シールによってフックテープ１３の両側部分のオス型係合部材２１を押しつぶしてゆく作業は、かかるフックテープシート１４の基材テープ１２への押圧圧着と同時に行うことができ、これによって製造工程をさらに簡略化することが可能になる。
【００１８】
また、上述のヒートエンボスや超音波シールによる押圧圧着によれば、かかる圧着のみによってもフックテープシート１４と基材テープ１２との十分な接合を図ることができるので、フックテープシート１４の下方の接合部分においては、必ずしも基材シート１２の表面に粘着剤１２を塗布しておく必要はない。
【００１９】
このようにして得られた、本実施形態の長尺シート部材１０はフックテープシート１４のフック部１５を中心とした左右対称な形状を有し、図１に示すように、規則的に蛇行する一本の蛇行曲線１６に沿って長手方向に切断して左右同様の形状に二分割する。
【００２０】
次いで、二分割された長尺シート部材１０を、直線１８，１８・・に沿って切断して複数個の止着テープ１９，１９・・を得る。ここで、直線１８，１８・・は、蛇行曲線１６の湾曲部２４，２４・・の各頂点から、それぞれ長尺シート部材１０の両側辺１７に対して垂直に延長している。
【００２１】
このように切断分割して量産された多数の止着テープ１８は、各々、オムツや衣料等への取付け部分である接着帯２３による基端部２０と、オムツや衣料等を装着する際の、フックテープシート１４のフック部１５による止着部２５と、フックテープシート１４の非止着帯２２による先端のタブ部２６と、フックテープシート１４の非止着帯２２による基端部２０と止着部２５との間の非止着部２７とからなる。そして図４に示すように、止着テープ１８を例えば使い捨てオムツ２９に使用する場合には、基端部２０の粘着剤層を使い捨てオムツ２９を構成するシート間に介在させて、使い捨てオムツ２９の後側ウエスト２８の側端部に固定でき、使い捨てオムツ２９の止着テープ１８として、安定した止着力を与えることができる。また、この止着テープ１８は、タブ部２６を備えるとともに、これが相当の厚さを備えているため使用し易く（摘み易く）、またタブ２６がラウンドを有するため使用者の肌等を傷つけ難く、さらに非止着部２７に適当な幅を持たせているため止着部２５が使用者の腰部の肌を刺激するおそれがない。
【００２２】
そして、本実施形態によれば、止着テープ製造用長尺シート部材１０が、基材テープ１２にフックテープシート１４を一体化した２層構造なので、３層構造のものと比較してその製作が容易であり、止着テープ１８を量産する製造工程を簡略化することが可能になる。
【００２３】
本発明は上記実施形態に限定されるものではなく種々の変更が可能である。例えば、基材シートに接合一体化されるフックテープシートは、必ずしもフックテープ１３の両側部分を押しつぶして非止着帯２２を形成したものである必要はなく、図３に示すように、もともとその中央部分にしかフック３０を備えていないシート部材３３によって、フック部３１とその両側に沿って延長する非止着帯３２とからなる長尺のフックテープシート３４を構成することもでき、また、基材シートとフックテープシートとの接合一体化は、必ずしもヒートエンボスや超音波シール等の圧着手段を用いて行う必要はない。
【図面の簡単な説明】
【００２４】
【図１】本実施形態の止着テープ製造用長尺シート部材により止着テープを製造する状況を説明する部分平面図である。
【図２】本実施形態の止着テープ製造用長尺シート部材の構成を示す、図１のＡ−Ａに沿った切断前の断面図である。
【図３】他の実施形態に係る止着テープ製造用長尺シート部材の構成を示す断面図である。
【図４】本実施形態により製造された止着テープを使い捨てオムツに使用する状況を示す要部平面図である。
【符号の説明】
【００２５】
１０  止着テープ製造用長尺シート部材
１１  粘着剤
１２  基材シート
１３  フックテープ
１４  フックシートテープ
１５  フック部
１６  蛇行曲線
１７  側辺
１８  直線
１９  止着テープ
２０  基端部
２１  オス型係合部材
２２  非止着帯
２３  接着帯
２５  止着部
２６  タブ部
２７  非止着部
【図１】
2008012332.tif 000003
【図２】
2008012332.tif 000004
【図３】
2008012332.tif 000005
【図４】
2008012332.tif 000006
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
粘着剤が塗布された長尺の基材シートの上面中央部分に沿ってフックテープが設けられた長尺シート部材を、一本の蛇行曲線に沿って長手方向に切断して二分割するとともに上記長尺シート部材の側辺に対して垂直に延長する直線に沿って切断して複数個の止着テープを得る止着テープの製造方法において使用する長尺シート部材の製作方法であって、
上記基材シートの上面に、中央部分に沿って長手方向に延長するフック部と該フック部の両側に沿って各々延長する一対の非止着帯とからなる長尺のフックテープシートを接合一体化することにより二層構造に製作する止着テープ製造用長尺シート部材の製作方法。
【請求項２】
上記フックテープシートの非止着帯が、フックテープの長手方向の両側部分のフックを押しつぶして形成される請求項１記載の止着テープ製造用長尺シート部材の製作方法。
【請求項３】
上記フックテープシートを圧着して上記基材シートに接合一体化する際に、上記フックテープの両側部分を押しつぶす請求項２記載の止着テープ製造用長尺シート部材の製作方法。
【請求項４】
上記フックテープシートが粘着剤を介することなく圧着によって上記基材シートに直接に接合一体化される請求項１〜３のいずれかに記載の止着テープ製造用長尺シート部材の製作方法。
【手続補正３】
【補正対象書類名】明細書
【補正対象項目名】０００１
【補正方法】変更
【補正の内容】
【０００１】
本発明は、粘着剤が塗布された長尺の基材シートの上面中央部分に沿ってフックテープが設けられた長尺シート部材を、一本の蛇行曲線に沿って長手方向に切断して二分割するとともに上記長尺シート部材の側辺に対して垂直に延長する直線に沿って切断して多数の止着テープを得る止着テープの製造方法において使用する二層構造の止着テープ製造用長尺シート部材の製作方法に関する。
【手続補正４】
【補正対象書類名】明細書
【補正対象項目名】０００５
【補正方法】変更
【補正の内容】
【０００５】
本発明は、このような基材シートの上面中央部分に沿ってフックテープが設けられた長尺シート部材を切断分割して止着テープを製造する方法において、製造工程を簡略化することのできる止着テープ製造用長尺シート部材の製作方法を提供することを目的とする。
【手続補正５】
【補正対象書類名】明細書
【補正対象項目名】０００６
【補正方法】変更
【補正の内容】
【０００６】
請求項１記載の発明は、粘着剤が塗布された長尺の基材シートの上面中央部分に沿ってフックテープが設けられた長尺シート部材を、一本の蛇行曲線に沿って長手方向に切断して二分割するとともに上記長尺シート部材の側辺に対して垂直に延長する直線に沿って切断して複数個の止着テープを得る止着テープの製造方法において使用する長尺シート部材の製作方法であって、上記基材シートの上面に、中央部分に沿って長手方向に延長するフック部と該フック部の両側に沿って各々延長する一対の非止着帯とからなる長尺のフックテープシートを接合一体化することにより二層構造に製作する止着テープ製造用長尺シート部材の製作方法を提供することにより、上記目的を達成したものである。
【手続補正６】
【補正対象書類名】明細書
【補正対象項目名】００１１
【補正方法】変更
【補正の内容】
【００１１】
本発明の止着テープ製造用長尺シート部材の製作方法によれば、得られる止着テープ製造用長尺シート部材は、基材シートの上面に、中央部分に沿って長手方向に延長するフック部とその両側に沿って各々延長する一対の非止着帯とからなる長尺のフックテープシートを接合一体化した２層構造なので、基材シートの上面にフックテープが設けられた長尺シート部材を切断分割して止着テープを製造する方法において、その製造工程を容易に簡略化することがができる。